(57)【要約】【課題】モーター支持部材の構造に別部品を取り付けることにより、部品の共通化を図って、複数の機種に対応することができる空気調和機の室外機を提供する。【解決手段】背面が開口され、前面に吹出口を有する筐体と、筐体の背面の開口を筐体の内側から覆う熱交換器１１と、中央部に送風機が固定され、送風機よりも上側が熱交換器１１の上端側に係止され、送風機の下側が筐体の底板に固定されるファンモータ支持部材２０とを備え、ファンモータ支持部材２０の上側には、下向きの溝を有する逆Ｕ字形係止板２６が設けられ、熱交換器１１の高さと厚みに合わせて、熱交換器１１を逆Ｕ字形係止板２６の溝に嵌め込むサイズ調節部３０が逆Ｕ字形係止板２６の溝に嵌め込まれる。【選択図】図８
2015230157.tif 000002
【特許請求の範囲】
【請求項１】
背面が開口され、前面に吹出口を有する筐体と、
前記筐体の背面の開口を当該筐体の内側から覆う熱交換器と、
中央部に送風機が固定され、前記送風機よりも上側が前記熱交換器の上端側に係止され、前記送風機の下側が前記筐体の底板に固定されるファンモータ支持部材と
を備え、
前記ファンモータ支持部材の上側には、下向きの溝を有する係止部が設けられ、
前記熱交換器の高さと厚みに合わせて、前記熱交換器を前記係止部の溝に嵌め込むサイズ調節部が前記係止部の溝に嵌め込まれることを特徴とする空気調和機の室外機。
【請求項２】
前記サイズ調節部に下向きの溝が設けられ、当該溝内に前記熱交換器の上端部が嵌り込むことを特徴とする請求項１記載の空気調和機の室外機。
【請求項３】
前記係止部の溝を形成する一方の側面に、当該側面の一部の切り起こしにより形成される平らな段差部が設けられ、
前記サイズ調節部の前記段差部側の面に、当該サイズ調節部が前記係止部の溝内に嵌め込まれた際に、前記段差部に係止する爪部が設けられていることを特徴とする請求項１又は２記載の空気調和機の室外機。
【請求項４】
前記サイズ調節部の前記段差部側の面の反対側の面に設けられ、前記サイズ調節部が前記係止部の溝内に嵌め込まれた際に、当該サイズ調節部の左右方向の動きを規制するＵ字形状の規制片を備えたことを特徴とする請求項３記載の空気調和機の室外機。
【請求項５】
前記サイズ調節部の溝内に振動を吸収する緩衝材が嵌め込まれることを特徴とする請求項２〜４の何れか１項に記載の空気調和機の室外機。
【発明の詳細な説明】
【技術分野】
【０００１】
本発明は、送風機のモーターを固定するモーター支持部材を備えた空気調和機の室外機に関するものである。
【背景技術】
【０００２】
従来の空気調和機の室外機においては、熱交換器の上端部が嵌め込まれて係止する下向きの溝を有する係止部が設けられたモーター支持部材を備えたものがある（例えば、特許文献１参照）。
【先行技術文献】
【特許文献】
【０００３】
【特許文献１】特開２００６−１７７６２０号公報（要約、図２）
【発明の概要】
【発明が解決しようとする課題】
【０００４】
従来の室外機においては、熱交換器の高さおよび厚みに応じて複数のモーター支持部材が必要となり、それぞれのモーター支持部材を形成するための金型も同数だけ作成する必要が生じ、製造コストが上昇する。また、部品の数量も増加するため、在庫や流通の管理の面でも煩雑となる課題がある。
【０００５】
本発明は、前述のような課題を解決するためになされたもので、モーター支持部材の構造に別部品を取り付けることにより、部品の共通化を図って、複数の機種に対応することができる空気調和機の室外機を提供することを目的とする。
【課題を解決するための手段】
【０００６】
本発明における空気調和機の室外機は、背面が開口され、前面に吹出口を有する筐体と、筐体の背面の開口を当該筐体の内側から覆う熱交換器と、中央部に送風機が固定され、送風機よりも上側が熱交換器の上端側に係止され、送風機の下側が筐体の底板に固定されるファンモータ支持部材とを備え、ファンモータ支持部材の上側には、下向きの溝を有する係止部が設けられ、熱交換器の高さと厚みに合わせて、熱交換器を係止部の溝に嵌め込むサイズ調節部が係止部の溝に嵌め込まれる。
【発明の効果】
【０００７】
本発明によれば、ファンモータ支持部材を、熱交換器の高さと厚みに合わせて係止する際、ファンモータ支持部材の係止部の溝内にサイズ調節部を嵌め込んで、熱交換器の上端部に係止するようにしている。このように、サイズ調節部を用いるだけでファンモータ支持部材そのものの構造を変えることなく使用できる。このため、部品点数の増加を最小限に抑えることができ、在庫や流通の管理の面でも容易となり、材料の省資源化を図ることができる。
【図面の簡単な説明】
【０００８】
【図１】本発明の実施の形態に係る空気調和機の室外機の外観を示す斜視図。
【図２】図１に示す室外機の分解斜視図。
【図３】図２において筐体、送風機およびセパレーターを取り外した状態の室外機の斜視図。
【図４】図２のファンモーター支持部材に使用されるサイズ調節部を斜め前方から見て示す斜視図。
【図５】図４のサイズ調節部を斜め後方から見て示す斜視図。
【図６】図３のファンモーター支持部材の上部を矢視Ａ−Ａ方向から見て示す拡大断面図。
【図７】図３のファンモーター支持部材の上端部側を斜め下方から見て示す斜視図。
【図８】ファンモーター支持部材の逆Ｕ字形係止板にサイズ調節部を取り付ける前の状態を示す斜視図。
【図９】ファンモーター支持部材の逆Ｕ字形係止板にサイズ調節部と緩衝材を取り付けた後の状態を示す斜視図。
【図１０】ファンモーター支持部材の逆Ｕ字形係止板をサイズ調節部と緩衝材を介して熱交換器に係止した状態を示す斜視図。
【図１１】熱交換器に係止したファンモーター支持部材を筐体の底板に固定した状態を示す斜視図。
【発明を実施するための形態】
【０００９】
以下、本発明における空気調和機の室外機の実施の形態について、図面を用いて詳細に説明する。なお、以下に示す実施の形態によって本発明が限定されるものではない。
【００１０】
図１は本発明の実施の形態に係る空気調和機の室外機の外観を示す斜視図、図２は図１に示す室外機の分解斜視図である。
図１、図２において、本実施の形態における室外機５０は、Ｌの字形状の前面板１、側面板２、天板３及び底板４により構成された筐体５１を備えている。前面板１には、円形状に形成された吹出口１ａが設けられており、その吹出口１ａはファンガード１ｂによって覆われている。側面板２には、サービスカバー５とバルブカバー６とが取り外し自在に設けられている。底板４の下面には、室外機５０を据付面に固定する脚部７が取り付けられている。室外機５０の内部は、くの字形状のセパレーター８により、送風機室９と機械室１０とに分けられている。
【００１１】
送風機室９には、Ｌの字形状の熱交換器１１、熱交換器１１の前方に配置された送風機１２が収容されている。本実施の形態においては、熱交換器１１に、例えば扁平管、コルゲートフィン、ヘッダパイプ等から構成されるコルゲートフィン型熱交換器が使用されている。送風機１２は、後述するファンモーター支持部材２０に固定されたファンモーター１２ａとプロペラファン１２ｂとで構成されている。
【００１２】
ファンモーター１２ａの駆動によりプロペラファン１２ｂが回転すると、そのプロペラファン１２ｂの回転により空気（外気）が吸引されて熱交換器１１を通過し、室外機５０内に流入する。そして、その空気は、プロペラファン１２ｂを通過して前面板１の吹出口１ａからファンガード１ｂを介して外部へ吹き出される。これにより、例えば冷房運転中においては、熱交換器１１内の冷媒は空気によって冷却され、熱交換器１１を通過した空気は冷媒と熱交換されて温風となる。
【００１３】
機械室１０には、底板４上に設置された圧縮機１４、四方弁、膨張弁、室内機と接続される冷媒配管を接続する配管接続部、圧縮機１４や送風機１２の駆動を制御する電気部品等が収容されている。
【００１４】
次に、前述したファンモーター支持部材２０の構成について、図３〜図６を用いて説明する。
図３は図２において筐体、送風機およびセパレーターを取り外した状態の室外機の斜視図、図４は図２のファンモーター支持部材に使用されるサイズ調節部を斜め前方から見て示す斜視図、図５は図４のサイズ調節部を斜め後方から見て示す斜視図、図６は図３のファンモーター支持部材の上部を矢視Ａ−Ａ方向から見て示す拡大断面図、図７は図３のファンモーター支持部材の上端部側を斜め下方から見て示す斜視図である。
【００１５】
ファンモーター支持部材２０は、熱交換器１１の前方に設置されている。このファンモーター支持部材２０は、梯子形状の支柱部２１と、支柱部２１の中央部に設けられた送風機１２の保持部２２と、支柱部２１の下端部に設けられた支柱固定部２３と、支柱部２１の上端部から送風機１２側に水平に延びる板形状の天板支持部２４と、支柱部２１の上端部から天板支持部２４の反対方向に水平に延びる係止支持部２５とで構成されている。
【００１６】
支柱固定部２３は、支柱部２１の前後に設けられてなり、底板４に形成された凸形状の絞り部４ａの上に、底板４に形成されたバーリング形状部４ｂを介して斜めからネジ２７によって固定されている（図１１参照）。係止支持部２５は、図３および図６に示すように、支柱部２１の上端部から水平に延びる板形状の支持板２５ａと、その支持板２５ａの先端に下向きの溝２６ｄを有する逆Ｕ字形係止板２６（係止部）とで構成されている。この逆Ｕ字形係止板２６の溝２６ｄを形成する一方の側面２６ａには、図６に示すように、側面２６ａの中央一部を外方へ切り起こしにより形成された切り起こし片２６ｂを上方に直角に折り曲げてなる平らな段差部２６ｃが設けられている。
【００１７】
前述のファンモーター支持部材２０の高さは、例えばフィンアンドチューブ型熱交換器の高さに対応して設定されており、また、逆Ｕ字形係止板２６の溝２６ｄの幅は、フィンアンドチューブ型熱交換器の厚み以上の寸法となっている。つまり、フィンアンドチューブ型熱交換器の上端部を逆Ｕ字形係止板２６の溝２６ｄ内に嵌め込むことにより、ファンモーター支持部材２０をフィンアンドチューブ型熱交換器に係止できる。
【００１８】
係止支持部２５の逆Ｕ字形係止板２６の溝２６ｄ内には、サイズ調節部３０が嵌め込まれる。このサイズ調節部３０は、フィンアンドチューブ型熱交換器用のファンモーター支持部材２０を、機種の異なるコルゲートフィン型熱交換器に流用できるように設けられている。コルゲートフィン型熱交換器は、フィンアンドチューブ型熱交換器と同じ容量（性能）と比較した場合に、フィンアンドチューブ型熱交換器よりも高さが低く、厚みが薄くなっている。このサイズの小さなコルゲートフィン型熱交換器にファンモーター支持部材２０を係止する際に、逆Ｕ字形係止板２６の溝２６ｄ内にサイズ調節部３０を嵌め込むことにより、ファンモーター支持部材２０をコルゲートフィン型熱交換器に係止することができる。
【００１９】
サイズ調節部３０は、樹脂材により構成され、図４および図５に示すように、下部に下向きの溝３１を有する外観が横長の直方体状に形成されている。このサイズ調節部３０の支柱部２１側の前面３０ａには、長手方向に長いＵ字形規制片３２が設けられている。このＵ字形規制片３２は、ファンモーター支持部材２０の逆Ｕ字形係止板２６の溝２６ｄ内にサイズ調節部３０を嵌め込んだ際に、ファンモーター支持部材２０の支持板２５ａが嵌め込まれる。
【００２０】
Ｕ字形規制片３２にファンモーター支持部材２０の支持板２５ａが嵌め込まれた際には、Ｕ字形規制片３２の両端に設けられた側片３２ａにより、サイズ調節部３０の左右方向への移動が規制される。サイズ調節部３０のＵ字形規制片３２の反対側の背面３０ｂの上部中央には、後方に突出する２つの爪部３３が設けられている。この２つの爪部３３は、サイズ調節部３０が逆Ｕ字形係止板２６の溝２６ｄ内に嵌め込まれた際に、逆Ｕ字形係止板２６の側面２６ａに形成された平らな段差部２６ｃに引っ掛かって、サイズ調節部３０を仮止めする。
【００２１】
また、サイズ調節部３０の上部には、サイズ調節部３０の長手方向に複数の突起片３４が設けられている。この突起片３４と２つの爪部３３とにより、逆Ｕ字形係止板２６の溝２６ｄ内に嵌め込まれたサイズ調節部３０の上下方向の動きが規制される。つまり、逆Ｕ字形係止板２６からのサイズ調節部３０の脱落が防止される。サイズ調節部３０の溝３１内には、図７に示すように、緩衝材４０が嵌め込まれる。この緩衝材４０は、室外機５０の搬送時の振動および運転時の振動を緩和させるために設けられている。
【００２２】
次に、室外機５０内に設置された熱交換器１１をコルゲートフィン型熱交換器とした場合のファンモーター支持部材２０の取付手順について、図８〜図１１を用いて説明する。
図８はファンモーター支持部材の逆Ｕ字形係止板にサイズ調節部を取り付ける前の状態を示す斜視図、図９はファンモーター支持部材の逆Ｕ字形係止板にサイズ調節部と緩衝材を取り付けた後の状態を示す斜視図、図１０はファンモーター支持部材の逆Ｕ字形係止板をサイズ調節部と緩衝材を介して熱交換器に係止した状態を示す斜視図、図１１は熱交換器に係止したファンモーター支持部材を筐体の底板に固定した状態を示す斜視図である。
【００２３】
先ず、サイズ調節部３０の溝３１内に緩衝材４０を嵌め込む。その後、サイズ調節部３０を、緩衝材４０が嵌め込まれた溝３１を下向きにした状態で（図８参照）、ファンモーター支持部材２０の逆Ｕ字形係止板２６の溝２６ｄ内に下方から挿入する（図９参照）。この時、サイズ調節部３０と共に２つの爪部３３が逆Ｕ字形係止板２６の溝２６ｄ内に嵌め込まれる。その２つの爪部３３が逆Ｕ字形係止板２６に設けられた段差部２６ｃに達したときに、２つの爪部３３が弾性力により段差部２６ｃ側に飛び出して段差部２６ｃに引っ掛かる。
【００２４】
この時、サイズ調節部３０の突起片３４が逆Ｕ字形係止板２６の内側上面に接触すると共に、サイズ調節部３０のＵ字形規制片３２内にファンモーター支持部材２０の支持板２５ａが嵌り込んで、サイズ調節部３０が固定される。この場合、サイズ調節部３０は、Ｕ字形規制片３２の両側に設けられた側片３２ａにより、左右方向の動きが規制される。
【００２５】
ファンモーター支持部材２０を、逆Ｕ字形係止板２６に固定されたサイズ調節部３０を介して熱交換器１１（コルゲートフィン型熱交換器）の上端部に係止する（図１０参照）。この場合、サイズ調節部３０の溝３１内に熱交換器１１の上端部が嵌入する。その後、前述したように、ファンモーター支持部材２０の支柱固定部２３を、底板４に形成された凸形状の絞り部４ａの上に、底板４に形成されたバーリング形状部４ｂを介してネジ２７によって固定する（図１１参照）。
【００２６】
ところで、逆Ｕ字形係止板２６だけを板金材とした場合、支持板２５ａに固定するねじ穴形状を設ける必要があり、現行形状のファンモーター支持部材２０の型改造が発生してしまう。また、逆Ｕ字形係止板２６だけを樹脂材で構成した場合も、ファンモーター支持部材２０の型改造が発生するということもあり、板金材と樹脂材の連結部に室外機５０の搬送時の振動や室外機５０の運転時の振動が加わって応力が集中し、破損するケースが考えられる。その点、本実施の形態においては、既存のファンモーター支持部材２０の型改造をすることなく、樹脂材のサイズ調節部３０をファンモーター支持部材２０の逆Ｕ字形係止板２６に嵌め込むかたちで保持する構造となっており、ファンモーター支持部材２０との嵌合範囲が広いため、樹脂材のサイズ調節部３０に加わる応力を分散できる。
【００２７】
また、底板４に対し、垂直に配置された熱交換器１１において、熱交換器１１の高さが高く、熱交換器１１の厚さも広いフィンアンドチューブ型熱交換器が設置された室外機５０においては、サイズ調節部３０を用いずに済むので、フィンアンドチューブ型熱交換器と天板３との隙間は必要最低限の狭さとなっている。これに対し、本実施の形態においては、サイズ調節部３０を用いるコルゲートフィン型熱交換器が設置される場合は、フィンアンドチューブ型熱交換器と比べ、高さが低く、厚さも薄くなる仕様のため、サイズ調節部３０が装着されたファンモーター支持部材２０をコルゲートフィン型熱交換器に係止した状態では、コルゲートフィン型熱交換器と天板３との間に隙間が生じる仕様となる。しかし、この仕様は、室外機５０の性能面および構造的強度面においても問題がないため、天板３との間にスペーサー等を入れ、コルゲートフィン型熱交換器の仕様違いによる高さの差分の隙間を埋める必要はない。
【００２８】
以上のように実施の形態によれば、フィンアンドチューブ型熱交換器に対応のファンモーター支持部材２０を、フィンアンドチューブ型熱交換器よりも高さが低く、厚みが薄いコルゲートフィン型熱交換器に用いる場合、ファンモーター支持部材２０に設けられた逆Ｕ字形係止板２６の溝２６ｄ内にサイズ調節部３０を嵌め込むだけで、コルゲートフィン型熱交換器に係止することができる。このように、機種の異なる熱交換器であっても、サイズ調節部３０を用いるだけでファンモータ支持部材そのものの構造を変えることなく使用でき、このため、部品点数の増加を最小限に抑えることができ、在庫や流通の管理の面でも容易となり、材料の省資源化を図ることができる。
【符号の説明】
【００２９】
１  前面板、１ａ  吹出口、１ｂ  ファンガード、２  側面板、３  天板、４  底板、４ａ  絞り部、４ｂ  バーリング形状部、５  サービスカバー、６  バルブカバー、７  脚部、８  セパレーター、９  送風機室、１０  機械室、１１  熱交換器、１２  送風機、１２ａ  ファンモーター、１２ｂ  プロペラファン、１４  圧縮機、２０  ファンモーター支持部材、２１  支柱部、２２  保持部、２３  支柱固定部、２４  天板支持部、２５  係止支持部、２５ａ  支持板、２６  逆Ｕ字形係止板、２６ａ  一方の側面、２６ｂ  切り起こし片、２６ｃ  段差部、２６ｄ  溝、２７  ネジ、３０  サイズ調節部、３０ａ  前面、３０ｂ  背面、３１  溝、３２  Ｕ字形規制片、３２ａ  側片、３３  爪部、３４  突起片、４０  緩衝材、５０  室外機、５１  筐体。
【図１】
2015230157.tif 000003
【図２】
2015230157.tif 000004
【図３】
2015230157.tif 000005
【図４】
2015230157.tif 000006
【図５】
2015230157.tif 000007
【図６】
2015230157.tif 000008
【図７】
2015230157.tif 000009
【図８】
2015230157.tif 000010
【図９】
2015230157.tif 000011
【図１０】
2015230157.tif 000012
【図１１】
2015230157.tif 000013